(57)【要約】【課題】  トイレで排尿する際に前開き部を開けやすく、かつ、排尿後の残尿による濡れや汚れを防止することができる、健常な男性が下半身に着用することができる下着を提供する。【解決手段】  前開き部のある男性用下着（パンツ）であって、前開き部の肌側下部に、男性器の少なくとも先端部をゆったりと入れることが可能な大きさの袋を設ける。この袋の内側を吸水性生地にし、外側を防水性生地にすることで、ズボンの濡れ・汚れを防止できる。また、前開き部の開口を構成する部分の生地の重なり幅を通常より小さくすることで、男性器を取り出しやすくできる。【選択図】図１
2019203213.tif 000002
【特許請求の範囲】
【請求項１】
男性器出し入れ用の前開き部を有する男性用下着であって、
前記前開き部の開口を構成する部分の生地の重なり幅が通常より小さくされており、
前記前開き部下端の肌側下方に、上方が開口された袋が設けられ、
該袋は、男性器の少なくとも先端部を出し入れすることが可能な大きさであり、前記袋の内側の面が吸水性を有し、外側の面が防水性を有していること特徴とする男性用下着。
【請求項２】
前記袋は、上方の一部のみが固定され、側方及び下方は固定されていない、ことを特徴とする請求項１記載の男性用下着。
【発明の詳細な説明】
【技術分野】
【０００１】
本発明は、男性の下半身に着用する下着に関し、より詳しくは、自分でトイレに行って用を足すことができる健常な男性が下半身に着用する下着に関する。
【背景技術】
【０００２】
健常な男性でも中高年になると、排尿後の残尿が生じやすくなってくることが知られている。トイレで排尿を済ませ、しっかりと水分を切って男性器を下着内に格納したつもりでも、気づくと残っていた尿（残尿）が出てきて、下着、特に股部前面や股部下面が湿っていることがある。
【０００３】
また、年を重ねると動作が緩慢になり、トイレで排尿する際に、下着から男性器を取り出すのが間に合わなくて下着が濡れてしまう状況も起きやすくなることが知られている。
【０００４】
残尿対策の男性用下着については、特許文献１などで提案されている他、下着の前開き部内側に張り付けるタイプの尿取りパッド（吸収性のある消耗品）が男性用にも市販されている。
【先行技術文献】
【特許文献】
【０００５】
【特許文献１】特開２００４−２５６９７８号
【発明の概要】
【発明が解決しようとする課題】
【０００６】
しかし、下着の前開き部内側に尿取りパッドを張り付けると、前開き部を開けにくくなり、通常のトイレでの排尿時に男性器を取り出すとき不便である。また、尿取りパッドは、残尿の量が少ない健常な男性にとっては、必要なものでもなく、使用をためらうものでもある。
【０００７】
そこで、本発明が解決しようとする課題は、トイレで排尿する際に、前開き部を開けやすく、かつ、残尿による濡れや汚れを防止することができる、健常な男性が下半身に着用することができる下着を提供することにある。
【課題を解決するための手段】
【０００８】
上記の課題を解決するため、本発明の一態様による男性用下着は、前面に男性器出し入れ用の前開き部を有する男性用下着であって、前記前開き部の開口を構成する部分の生地の重なり幅が通常より小さくされており、前記前開き部下端の肌側下方に、上方が開口された袋が設けられ、該袋は、男性器の少なくとも先端部を出し入れすることが可能な大きさであり、前記袋の内側の面が吸水性を有し、外側の面が防水性を有していること特徴とする。
【０００９】
排尿後は、この袋（以下、ポケットともいう）に男性器の少なくとも先端部を収納しておくことで、残尿があったとしても、その水分はポケット内に留まる。したがって、下着やズボンが濡れるのを防ぐことができる。
【００１０】
本態様によれば、前開き部の開口を構成する部分の生地の重なり幅が通常より小さくなっているので、開けやすい。したがって、男性器を取り出しやすい。
【００１１】
また、前記袋は、上方の一部のみが固定され、側方及び下方は固定されずに自然に任せて動くようにしてもよい。そうすることで、袋に男性器を入れた状態で動いた際に不自然な形にならない。
【発明の効果】
【００１２】
以上のような構成を採っているので、本発明によれば、トイレで小用を足すときに不便ではなく、残尿による濡れや汚れを防止することができる男性用下着を提供することができる。
【図面の簡単な説明】
【００１３】
【図１】図１は、本発明の一実施形態である男性用下着を、前側から見た模式的な正面図である。
【図２】図２は、図１と同じ男性用下着の前面内側の状況を示すための図で、男性用下着を裏返したときの前側の模式的な図である。
【図３】図３は、本発明の他の一実施形態である男性用下着を、前側から見た模式的な正面図である。
【図４】図４は、図３と同じ男性用下着の前面内側の状況を示すための図で、男性用下着を裏返したときの前側の模式的な図である。
【図５】図５は、図３と同じ男性用下着の作り方の一例を示すための図で、前開き部とポケット部を下着本体に縫い付ける前の図である。
【図６】図６は、図３と同じ男性用下着の作り方の一例を示すための図で、下着本体に縫い付ける前の前開き部とポケット部を示した図である。
【発明を実施するための形態】
【００１４】
本発明を実施するための形態について図面を参照して説明する。各図において、同一部分ないし相当する部分には、同一の符号を付してある。
【００１５】
図１及び図２は、本発明の一実施形態である男性用下着１の前側（前身ごろ）を示す図である。図１は表（おもて）であり、図２は裏返したものである。破線は表からは直接見えないことを示している。図１及び図２に示すように、男性用下着１は、前面に、陰茎を出し入れするための開口部を有する前開き部２と、袋状のポケット部３と、腰ゴム部４とを有している。
【００１６】
前開き部２は、図示するように、外側の生地の縁部２ａと内側の生地の縁部２ｂとの間隔ｗが、通常より小さく（幅狭く）なっている。すなわち、前開き部２の開口を構成する２枚の生地の重なり幅ｗが通常より小さくなるよう作られている。具体的な重なり幅ｗは、重なり部の形状や大きさ等、個々の事情によるが、例えば、通常の重なり幅が５ｃｍ程度あるとすれば、本実施形態では、２ｃｍ以下であり、重なり幅はかなり狭い。このように重なり幅ｗを小さくすることで、排尿時に陰茎を出し入れしやすくなるという効果を奏する。
【００１７】
なお、図では、重なり部は、２ａ，２ｂがほぼ平行に、すなわち、重なり幅ｗが上から下まで同程度であるように記載されているが、重なり部の形状は、これに限定されない。例えば、前開き部２の生地の重なりは、上下は幅狭く、真ん中あたりが幅広くなるように構成されていてもよい。
【００１８】
ポケット部３は、図２に示すように、前開き部２の内側（肌側）下方（腰ゴム部４から離れて股部に近いほう）に設けられ、上部が幅広の開口部となっている。少なくとも排尿直後は、男性器の少なくとも先端部をこのポケット３に上から垂らす格好で収納することができる。ポケット３は、図示するように、幅広でゆとりのある大きさ・形状となっているので、肌に直接触れにくく、陰茎が締め付けられる心配もない。
【００１９】
ポケット３は、全体としては、男性用下着１本体と同様の布地で構成できるが、ポケット３の内側の面は吸水性を有し、外側の面は防水性を有する生地で構成することが好ましい。そうすることで、残尿漏れによる濡れ・汚れがズボン等に染み出るのを防止することができる。
【００２０】
また、このポケット３内には、トイレに流せるタイプのティッシュやトイレットペーパーなどの紙類を適量（２〜３枚）入れて敷いておくこともできる。そうすることで、残尿により多少の水分が出たとしても、このティッシュ等の紙類がその水分を吸収してくれるという効果を奏する。したがって、下着やズボンが濡れるのを防ぐことができる。濡れたティッシュは、次回の排尿時などに適宜トイレに廃棄すればよい。そうすることで、このポケット内を衛生的に保つことができる。
【００２１】
次に、男性用下着１の作り方について説明する。
男性用下着１は、公知の作り方を組み合わせて作ることができる。例えば、通常通り男性用下着を縫製した後に、前開き部の裏側下方に、ポケットとなる袋３を縫い付けることで作ることができる。
袋３の下着本体への固定（縫い付け）は、袋３の上部の一部のみを、十分な大きさの開口部が構成されるように、下着本体側に縫い付けば十分である。袋状ポケット３の両脇は下着本体に縫い付けなくてもよい。その場合には、ポケットがブラブラと自然に任せて動くようになるが、そのほうがかえって、袋３に男性器を入れた状態で動いた際に不自然な形にならず、着心地が良くなるという利点がある。なお、ポケットの両脇を下着本体に縫い付けて固定してもよい。その場合には、ポケットが安定するという利点がある。
【００２２】
次に、男性用下着１の使い方について説明する。
通常のトランクス等の男性用下着と同様に使うことができるが、排尿後は、少なくとも陰茎先端部をポケット３に収納しておく。その際に、ティッシュやトイレットペーパー等トイレに流せるタイプの紙類を適量（２〜３枚）、ポケット３の内側に敷いておくとよい。そうすることで、排尿後の残尿が出た場合であってもティッシュ等の紙類が水分を吸収してくれる。ポケット３自体の内側が吸水性を有しているので、少量の残尿であれば、ティッシュ等の紙類を敷かなくてもその水分は吸収されるが、２〜３枚敷いておいたほうが、よりよく吸収される。濡れた後はトイレに流して新しいものと交換することが容易であり、衛生的である。
【００２３】
男性用下着１は、上記のような構成であり、ポケット３の内側面が吸水性を有し外側面が防水性を有しているので、残尿が出た場合であっても、ズボン側は濡れにくくなる。また、上記のように使用することで、ポケット３の内側に敷いたティッシュ等の紙類が水分を吸収してくれるので、さらに、ズボンが濡れにくくなる。すなわち、残尿による濡れや汚れを防止することができる男性用下着を提供することができる。
【００２４】
上記のように制作した男性用下着１の試作品を、複数名の利用者に着用してもらい実際に何度か用を足してもらったところ、上記課題が解決され、本発明の効果が確認された。
【００２５】
次に、他の一実施形態について、図３乃至図６を参酌しながら説明する。図３及び図４は、本実施形態の男性用下着１０の前側、すなわち前身ごろを、模式的に示す図であり、図３は表（おもて）側、図４は裏側（内側）である。図５及び図６は、男性用下着１０の作り方の一例を示すための図である。
【００２６】
図３乃至図６に示すように、本実施形態の男性用下着１０も、重なり幅の小さい前開き部２と、袋状のポケット部３と、腰ゴム部４とを有している。本実施形態の男性用下着１０のポケット部３は、前身ごろを作成する際に、図６に示すように中央部Ｃとして一体化して作る。中央部Ｃを、符号Ｃ１の部分で折り返し、上のほう（腰ゴム部４に近いほう）は図５に点線（符号６）で示すように縫合し、下のほうは破線（符号７）で示すように折り返した部分と一緒に縫合する。このようにして、上部が開口され両脇が縫合されたポケット部３が作られる。先の実施形態のように、男性用下着の本体を作ってからポケット３を設けるよりも、前身ごろを作る際に一体的にポケット３を作れるという点で、作りやすいという利点がある。
ポケット部３の内側面が吸水性を有し、外側面が防水性を有している点など、その他の点は、先の実施形態と同様であるので、説明を省略する。
【００２７】
なお、上記構成は、一例であり、本発明は上記構成に限られるものではない。本発明の趣旨を逸脱しない範囲で、自由に構成することができる。
前開き部２，ポケット部３以外の構成としては、それぞれの下着としての一般的な機能を果たすものであれば、特にこだわらない。寸法は、適宜調節されるものであるから、上記では寸法の記載を省略した。
【符号の説明】
【００２８】
１…本発明の一実施形態に係る男性用下着
２…前開き部
２ａ…前開きの開口部を構成する外側（ズボン側）の生地の縁部
２ｂ…前開きの開口部を構成する内側（肌側）の生地の縁部
３…袋状のポケット部
１０…本発明の他の一実施形態に係る男性用下着
Ｃ…男性用下着１０の前身ごろを構成する中央部
【図１】
2019203213.tif 000003
【図２】
2019203213.tif 000004
【図３】
2019203213.tif 000005
【図４】
2019203213.tif 000006
【図５】
2019203213.tif 000007
【図６】
2019203213.tif 000008